(57)【要約】【課題】３Ｄ画像を表示する画像表示システムにおいて、視聴者が常に３Ｄ画像を適切な位置で視聴することを可能にする。【解決手段】表示画面１１１ａ上に左眼で見られるよう左眼用画像を表示し、右眼で見られるよう右眼用画像を表示する画像表示システムにおいて、視聴者を被写体として撮影して撮像信号Ｄｖを出力するカメラ１０２ａと、表示画面１１１ａから視聴者Ｈまでの距離を検出して距離情報Ｄｄを出力する距離センサ１０２ｂと、３Ｄ画像を表示する３Ｄ表示部１１０と、３Ｄ表示部１１０に前記視聴者へのガイドを指示するガイド指示部１２０とを備えた。【選択図】図１
2012199701.tif 000002
【特許請求の範囲】
【請求項１】
表示画面上に第１の方向から見られるよう第１の画像を表示し、該第１の方向とは異なる第２の方向から見られるよう第２の画像を表示する画像表示システムであって、
該第１の画像及び該第２の画像の少なくとも一方を見る視聴者の位置を検出する位置検出部と、
検出した視聴者の位置に基づいて、該視聴者が見る画像に応じた最適な位置に該視聴者をガイドするガイド指示部とを備えた、画像表示システム。
【請求項２】
請求項１に記載の画像表示システムにおいて、
前記第１及び第２の画像は、両眼視差により立体画像が見られるよう空間的に多重化されている、画像表示システム。
【請求項３】
請求項１に記載の画像表示システムにおいて、
前記ガイド指示部は、表示画面上でのメッセージの表示、テロップの表示、及び記号の表示の少なくとも１つにより、前記視聴者が見る画像に応じた最適な位置に該視聴者をガイドする、画像表示システム。
【請求項４】
請求項１に記載の画像表示システムにおいて、
前記ガイド指示部は、前記視聴者が見る画像に応じた最適な位置に該視聴者を音声によりガイドする、画像表示システム。
【請求項５】
請求項１に記載の画像表示システムにおいて、
前記ガイド指示部は、前記視聴者の最適位置へのガイドを行う動作モードと、該視聴者の最適位置を登録する登録モードとを有し、
該登録モードでは、テスト表示された調整用左右別画像が左右両方とも良好に見える最適位置での視聴者の顔の画像を登録し、
該動作モードでは、表示画面に表示された画像を視聴者が視聴している状態での撮影により得られた視聴者の顔の画像を、該最適位置での視聴者の顔の画像と比較し、この画像比較の結果に基づいて該視聴者のガイドを行う、画像表示システム。
【請求項６】
請求項１に記載の画像表示システムにおいて、
前記ガイド指示部は、前記視聴者の最適位置へのガイドを行うガイドモードと、該視聴者の最適位置へのガイドを行わない非ガイドモードとを有し、
該視聴者の操作により該ガイドモードと該非ガイドモードとを切換え可能に構成されている、画像表示システム。
【請求項７】
請求項２に記載の画像表示システムにおいて、
複数の画素をマトリクス状に配列してなり、前記第１および第２の画像を表示するように構成された液晶表示パネルと、
該第１の画像を形成する画素からの光を前記第１の方向に方向付け、該第２の画像を形成する画素からの光を前記第２の方向に方向付けるように構成された視差光学素子とを有する、画像表示システム。
【請求項８】
請求項２に記載の画像表示システムにおいて、
前記視聴者を撮影するカメラを備え、
前記ガイド指示部は、
該カメラにより撮影により得られた視聴者の画像を解析して、該視聴者の画像上での該視聴者の両眼の距離情報を生成する画像処理部と、
該視聴者の両眼の距離情報に基づいて、該視聴者に視聴位置を音声あるいは表示によりガイドするためのガイド信号を生成するガイド制御部とを備えている、画像表示システム。
【請求項９】
請求項８に記載の画像表示システムにおいて、
前記画像処理部は、前記視聴者の画像の解析により該視聴者の顔認識を行い、該顔認識により前記視聴者と前記表示画面との位置関係を示す位置関係情報を生成する、画像表示システム。
【請求項１０】
請求項９に記載の画像表示システムにおいて、
前記画像処理部は、前記視聴者の画像の解析により顔認識を行い、該顔認識により得られる該視聴者の画像上での該視聴者の両眼の距離情報に基づいて、該視聴者と該表示画面までの距離情報を検出し、
前記ガイド指示部は、該該視聴者と該表示画面までの距離情報に基づいて、前記視聴者の最適位置へのガイドを行う、画像表示システム。
【請求項１１】
請求項９に記載の画像表示システムにおいて、
前記ガイド指示部は、前記位置関係情報に基づいて、前記視聴者に前記表示画面に対して前後方向に移動するようガイドする、画像表示システム。
【請求項１２】
請求項９に記載の画像表示システムにおいて、
前記ガイド指示部は、前記位置関係情報に基づいて、前記視聴者に前記表示画面に対して左右方向に移動するようガイドする、画像表示システム。
【請求項１３】
請求項１０に記載の画像表示システムにおいて、
前記カメラは、携帯機器に搭載されたインカメラであり、
前記画像処理部は、前記顔認識から、目鼻輪郭の位置によって顔の傾きを検出し、
前記ガイド指示部は、該顔の傾きに基づいて、前記視聴者に表示画面に正対するようガイドする、画像表示システム。
【請求項１４】
画像表示部を備えた電子情報機器であって、
該画像表示部は、請求項１に記載の画像表示システムである電子情報機器。
【発明の詳細な説明】
【技術分野】
【０００１】
本発明は、画像表示システムおよび電子情報機器に関し、特に最適な３Ｄ画像あるいは最適なマルチビュー画像を見るための、視聴者と３Ｄ表示装置およびマルチビュー表示装置との距離あるいは相対位置を検知して、視聴者に最適な視聴位置を通知する機能に関するものである。
【背景技術】
【０００２】
近年、薄型テレビなどの３Ｄ映像を表示する表示機器（画像表示装置）が普及してきている。
【０００３】
図１３は、このような従来の画像表示装置で、裸眼で見ることが可能な３Ｄ映像が形成される原理を説明する図である。
【０００４】
図１３に示すように、画像表示装置の表示画面Ｄｓ上には、左目用画像を形成する画素ＰＸａと右目用画像を形成する画素ＰＸｂとが水平方向に交互に配列されている。また、この表示画面の前面側（視聴者側）には、左目用画像を形成する画素ＰＸａからの光を左目の方向に方向付け、右目用画像を形成する画素ＰＸｂからの光を右目の方向に方向付けるように構成された視差光学素子（視差バリア）Ｂが配置されている。
【０００５】
そして、表示画面Ｄｓに、左目用画像と右目用画像とを交互に表示させる。視聴者と表示画面との距離Ｄｂが適正である場合、右目用画素からの左目用画像は視差バリアにより遮蔽され、かつ左目用画素からの右目用画像は視差バリアにより遮蔽されることとなり、標準的な離間間隔Ａを有する視聴者の左眼には、左目用画像のみが見え、右目には右目用画像のみが見えることとなる。
【０００６】
このように、裸眼で３Ｄ画像を見ることが可能な画像表示装置では、視差バリアなどを使用し左右の目から見える位置を制限し、その位置によって右目用、左目用の画像を表示している。
【０００７】
なお、このような裸眼で３Ｄ画像を見ることが可能な画像表示装置としては、特許文献１などに開示のものがある。
【先行技術文献】
【特許文献】
【０００８】
【特許文献１】特開２００６−２６２１９１号公報
【発明の概要】
【発明が解決しようとする課題】
【０００９】
ところが、上記従来の裸眼で３Ｄ画像を見ることが可能な画像表示装置では、視聴位置によっては、右目用、左目用の画像が適切に見えず、画像がぶれたり良好な３Ｄ画像に見えないことがあるという問題点がある。
【００１０】
従って、従来は、表示画面を正面から視聴する位置を変えながら立体的に見える位置を感覚的に探す必要があり、３Ｄ画像を適切な３Ｄの見え方で無い状態や３Ｄに見えていない状態で視聴していても、これに気づかないという問題もあった。
【００１１】
本発明は、上記のような問題点を解決するためになされたものであり、３Ｄ画像あるいはマルチビュー画像を適切な位置で視聴することができる画像表示システムおよびこのような画像表示システムを搭載した電子情報機器を得ることを目的とする。
【課題を解決するための手段】
【００１２】
そこで、本件発明者は、携帯できる電話やゲーム機などでは自分撮り用のカメラが内蔵されているものも多く、テレビにもコミュニケーション用カメラを取り付けられるものが発売され始めていることに着目し、上記目的を達成するため、インカメラを有する、裸眼で３Ｄ画像を見ることができる画像表示装置において、インカメラにより撮影した画像の解析により視聴者の２眼間の距離、及び表示装置までの距離を検出し、３Ｄ画像に見える最適距離をガイドするという発明に想到した。
【００１３】
本発明に係る画像表示システムは、表示画面上に第１の方向から見られるよう第１の画像を表示し、該第１の方向とは異なる第２の方向から見られるよう第２の画像を表示する画像表示システムであって、該第１の画像及び該第２の画像の少なくとも一方を見る視聴者の位置を検出する位置検出部と、検出した視聴者の位置に基づいて、該視聴者が見る画像に応じた最適な位置に該視聴者をガイドするガイド指示部とを備えたものであり、そのことにより上記目的が達成される。
【００１４】
本発明は、上記画像表示システムにおいて、前記第１及び第２の画像は、両眼視差により立体画像が見られるよう空間的に多重化されていることが好ましい。
【００１５】
本発明は、上記画像表示システムにおいて、前記ガイド指示部は、表示画面上でのメッセージの表示、テロップの表示、及び記号の表示の少なくとも１つにより、前記視聴者が見る画像に応じた最適な位置に該視聴者をガイドすることが好ましい。
【００１６】
本発明は、上記画像表示システムにおいて、前記ガイド指示部は、前記視聴者が見る画像に応じた最適な位置に該視聴者を音声によりガイドすることが好ましい。
【００１７】
本発明は、上記画像表示システムにおいて、前記ガイド指示部は、前記視聴者の最適位置へのガイドを行う動作モードと、該視聴者の最適位置を登録する登録モードとを有し、該登録モードでは、テスト表示された調整用左右別画像が左右両方とも良好に見える最適位置での視聴者の顔の画像を登録し、該動作モードでは、表示画面に表示された画像を視聴者が視聴している状態での撮影により得られた視聴者の顔の画像を、該最適位置での視聴者の顔の画像と比較し、この画像比較の結果に基づいて該視聴者のガイドを行うことが好ましい。
【００１８】
本発明は、上記画像表示システムにおいて、前記ガイド指示部は、前記視聴者の最適位置へのガイドを行うガイドモードと、該視聴者の最適位置へのガイドを行わない非ガイドモードとを有し、該視聴者の操作により該ガイドモードと該非ガイドモードとを切換え可能に構成されていることが好ましい。
【００１９】
本発明は、上記画像表示システムにおいて、複数の画素をマトリクス状に配列してなり、前記第１および第２の画像を表示するように構成された液晶表示パネルと、該第１の画像を形成する画素からの光を前記第１の方向に方向付け、該第２の画像を形成する画素からの光を前記第２の方向に方向付けるように構成された視差光学素子とを有することが好ましい。
【００２０】
本発明は、上記画像表示システムにおいて、前記視聴者を撮影するカメラを備え、前記ガイド指示部は、該カメラにより撮影により得られた視聴者の画像を解析して、該視聴者の画像上での該視聴者の両眼の距離情報を生成する画像処理部と、該視聴者の両眼の距離情報に基づいて、該視聴者に視聴位置を音声あるいは表示によりガイドするためのガイド信号を生成するガイド制御部とを備えていることが好ましい。
【００２１】
本発明は、上記画像表示システムにおいて、前記画像処理部は、前記視聴者の画像の解析により該視聴者の顔認識を行い、該顔認識により前記視聴者と前記表示画面との位置関係を示す位置関係情報を生成することが好ましい。
【００２２】
本発明は、上記画像表示システムにおいて、前記画像処理部は、前記視聴者の画像の解析により顔認識を行い、該顔認識により得られる該視聴者の画像上での該視聴者の両眼の距離情報に基づいて、該視聴者と該表示画面までの距離情報を検出し、前記ガイド指示部は、該該視聴者と該表示画面までの距離情報に基づいて、前記視聴者の最適位置へのガイドを行うことが好ましい。
【００２３】
本発明は、上記画像表示システムにおいて、前記ガイド指示部は、前記位置関係情報に基づいて、前記視聴者に前記表示画面に対して前後方向に移動するようガイドすることが好ましい。
【００２４】
本発明は、上記画像表示システムにおいて、前記ガイド指示部は、前記位置関係情報に基づいて、前記視聴者に前記表示画面に対して左右方向に移動するようガイドすることが好ましい。
【００２５】
本発明は、上記画像表示システムにおいて、前記カメラは、携帯機器に搭載されたインカメラであり、前記画像処理部は、前記顔認識から、目鼻輪郭の位置によって顔の傾きを検出し、前記ガイド指示部は、該顔の傾きに基づいて、前記視聴者に表示画面に正対するようガイドすることが好ましい。
【００２６】
本発明に係る電子情報機器は、画像表示部を備えた電子情報機器であって、該画像表示部は、上述した本発明に係る画像表示システムであり、そのことにより上記目的が達成される。
【００２７】
次に作用について説明する。
【００２８】
本発明においては、表示画面上に左眼で見られるよう左眼用画像を表示し、右眼で見られるよう右眼用画像を表示する画像表示システムにおいて、視聴者の位置を検出し、検出した視聴者の位置に基づいて、該視聴者が見る画像に応じた最適な位置に該視聴者をガイドするので、視聴者は常に３Ｄ画像あるいはマルチビュー画像を適切な位置で視聴することができる。
【００２９】
本発明においては、カメラにより撮影した視聴者の画像を解析して視聴者の顔認識を行い、この顔認識から得られる両眼距離に基づいて視聴者と表示画面との距離情報を求めるので、距離センサが不要となる。
【００３０】
本発明においては、テスト表示された調整用左右別画像が左右両方とも良好に見える最適位置での視聴者の顔の画像を予め登録し、表示画面に表示された画像を視聴者が視聴している状態での撮影により得られた視聴者の顔の画像を、該最適位置での視聴者の顔の画像と比較し、この画像比較の結果に基づいて該視聴者のガイドを行うので、視聴者に対する視聴位置のガイドをより精度よく行うことが可能となる。
【００３１】
本発明においては、視聴者の入力操作に応じた操作信号により、上記ガイド動作を行うガイドモードと、上記ガイド動作を行わない非ガイドモードとを切換え可能としているので、視聴者に対する視聴位置のガイドが不要な場合にはガイド動作を停止させることができる。
【００３２】
本発明においては、１つの表示画面に異なる２つの画像を、その一方（第１の画像）を第１の視聴者が観察でき、その他方（第２の画像）を第２の視聴者が観察できるよう表示し、その際、それぞれの視聴者の視聴位置が、対応する画像を観察するのに最適な位置になるよう、これらの視聴者を最適位置にガイドすることで、第１及び第２の視聴者及びは、異なる方向からそれぞれが見たい、マルチビュー表示装置の画像を常に適切な位置で視聴することができる。
【発明の効果】
【００３３】
以上のように、本発明によれば、Ｄ画像あるいはマルチビュー画像を適切な位置で視聴することができる画像表示装置およびこのような画像表示装置を搭載した電子情報機器を得ることができる。
【図面の簡単な説明】
【００３４】
【図１】図１は、本発明の実施形態１による画像表示システムを説明する図であり、図１（ａ）は、全体構成を示し、図１（ｂ）は、表示画面上でのガイド表示を示している。
【図２】図２は、本発明の実施形態１による画像表示システムのより具体的な構成を説明する図であり、図２（ａ）は、該画像表示システムを構成するガイド指示部および３Ｄ表示部の構成を示し、図２（ｂ）は、ガイド指示部におけるガイド制御部の構成を示している。
【図３】図３は、本発明の実施形態１による画像表示システムの動作を説明する図であり、図３（ａ）は、視聴者が３Ｄ画像を見る様子を概念的に示し、図３（ｂ）は、表示画面と視聴者の両眼の位置関係を示し、図３（ｃ）〜図３（ｅ）は、視聴者の位置による３Ｄ画像の見え方の違いを示している。
【図４】図４は、本発明の実施形態２による画像表示システムを説明する図であり、この画像表示システムの全体構成を示している。
【図５】図５は、本発明の実施形態２による画像表示システムのより具体的な構成を説明する図であり、図５（ａ）は、該画像表示システムを構成するガイド指示部および３Ｄ表示部の構成を示し、図５（ｂ）は、ガイド指示部における画像処理部の構成を示している。
【図６】図６は、本発明の実施形態２の変形例による画像表示システムを説明する図であり、この画像表示システムの全体構成を示している。
【図７】図７は、本発明の実施形態２の変形例による画像表示システムのより具体的な構成を説明する図であり、該画像表示システムを構成するガイド指示部および３Ｄ表示部の構成を示している。
【図８】図８は、本発明の実施形態３による画像表示システムを説明する図であり、この画像表示システムの全体構成を示している。
【図９】図９は、本発明の実施形態３による画像表示システムのより具体的な構成を説明する図であり、図９（ａ）は、該画像表示システムを構成するガイド指示部および３Ｄ表示部の構成を示し、図９（ｂ）は、ガイド指示部におけるガイド制御部の構成を示している。
【図１０】図１０は、本発明の実施形態４による画像表示システムを説明する図であり、図１０（ａ）は、全体構成を示し、図１０（ｂ）は、表示画面上でのガイド表示を示している。
【図１１】図１１は、本発明の実施形態４による画像表示システムのより具体的な構成を説明する図であり、図１１（ａ）は、該画像表示システムを構成するガイド指示部およびマルチビュー表示部の構成を示し、図１１（ｂ）は、ガイド指示部におけるガイド制御部の構成を示している。
【図１２】図１２は、本発明の実施形態４による画像表示システムの動作を説明する図であり、図１２（ａ）は、視聴者がマルチビュー画像を見る様子を概念的に示し、図１２（ｂ）は、表示画面と二人の視聴者の位置関係を示し、図１２（ｃ）〜図１２（ｅ）は、視聴者の位置によるマルチビュー画像の見え方の違いを示している。
【図１３】従来の画像表示機器で裸眼で見ることが可能な３Ｄ映像を形成する原理を説明する図である。
【発明を実施するための形態】
【００３５】
以下、本発明の実施形態について図面を参照しながら説明する。
【００３６】
（実施形態１）
図１は、本発明の実施形態１による画像表示システムを説明する図であり、図１（ａ）は、全体構成を示し、図１（ｂ）は、表示画面上でのガイド表示を示している。
【００３７】
図２は、本発明の実施形態１による画像表示システムのより具体的な構成を説明する図であり、図２（ａ）は、該画像表示システムを構成するガイド指示部および３Ｄ表示部の構成を示し、図２（ｂ）は、ガイド指示部におけるガイド制御部の構成を示している。
【００３８】
この画像表示システム１００は、表示画面１１１ａ上に第１の方向から見られるよう第１の画像を表示し、該第１の方向とは異なる第２の方向から見られるよう第２の画像を表示する画像表示システムであって、該第１の画像及び該第２の画像をそれぞれ左目用画像及び右目用画像として見る視聴者Ｈの位置を検出し、検出した視聴者Ｈの位置に基づいて、該視聴者が見る画像に応じた最適な位置に該視聴者をガイドするものである。
【００３９】
つまり、前記第１及び第２の画像は、視聴者Ｈの両眼視差により立体画像が見られるよう空間的に多重化されている。なお、図１（ａ）中、Ｌｅは視聴者Ｈの左眼を示し、Ｒｅは視聴者Ｈの右眼を示している。
【００４０】
また、この画像表示システムでは、視聴者のガイドは、音声によるものと、表示画面上でのテロップ１１４の表示によるものと、矢印などの移動すべき方向を示す記号１１２ａ、１１２ｂ、１１３ａ、１１３ｂの表示によるものが同時に行われるようになっている。但し、視聴者のガイドは、これらのうちの少なくとも１つにより行われればよい。
【００４１】
以下具体的な構成について説明する。
【００４２】
この画像表示システム１００は、視聴者を被写体として撮影して撮像信号Ｄｖを出力するカメラ１０２ａと、表示画面１１１ａから視聴者Ｈまでの距離を検出して距離情報Ｄｄを出力する距離センサ１０２ｂと、３Ｄ画像を表示する３Ｄ表示部１１０と、３Ｄ表示部１１０に前記視聴者へのガイドを指示するガイド指示部１２０と、映像データのソース１３０と、スピーカ１０３ａ、１０３ｂとを有している。なお、ここでは、スピーカ１０３ａ、１０３ｂには、ガイド指示部１２０から直接、視聴者に位置をガイドするための音声信号を供給する構成としている。
【００４３】
ここで、映像データのソースである映像ソース１３０は、映像データを格納した記録メディアあるいは放送信号やインターネットなどの回線から映像データを受信する受信部などであり、映像データＶｓを前記３Ｄ表示部１１０に供給する。
【００４４】
また、３Ｄ表示部１１０は、ガイド指示部１２０からの表示ガイド信号Ｇｄｉにより表示画面１１１ａに視聴者へのガイドを示すテロップ１１４を表示するよう構成されている。つまり、３Ｄ表示部１１０は、表示画面１１１ａを含む液晶表示パネル１１１と、該液晶表示パネル１１１を表示ガイド信号Ｇｄｉにより表示制御する表示制御部１１２とを有している。
【００４５】
なお、ここで、液晶表示パネル１１１は、複数の画素をマトリクス状に配列したものであり、第１および第２の画像として右目用画像及び左目用画像を表示可能な構成となっており、また、液晶表示パネル１１１の前面側には、第１の画像（右目用画像）を形成する画素からの光を第１の方向（右眼方向）に方向付け、第２の画像（左目用画像）を形成する画素からの光を第２の方向（左眼方向）に方向付けるように構成された、視差バリアなどの視差光学素子（図示せず）が配置されている。
【００４６】
また、ガイド指示部１２０は、カメラ１０２ａからの撮像信号Ｄｖに基づいて画像解析を行い、該視聴者の顔認識を行い、この顔認識に基づいて、表示画面の基準位置（例えば、中心位置）と視聴者の両目の中心位置との横方向の相対距離を示す相対距離情報を含む画像解析情報Ｐｆを生成する画像処理部１２１と、両眼の距離の基準値を示す距離基準値Ｐｒを格納したデータ記憶部１２２と、距離基準値Ｐｒと画像解析情報Ｐｆと、さらに距離情報（センサ出力）Ｄｄとに基づいて上記音声ガイド信号Ｇａｕ、表示ガイド信号Ｇｄｉをそれぞれスピーカ１０３ａ及び表示制御部１１２に供給するガイド制御部１２３とを有している。
【００４７】
このガイド制御部１２３は、上記のとおり、距離基準値Ｐｒ、画像解析情報Ｐｆ、距離情報（センサ出力）Ｄｄとに基づいて、適正な位置からの視聴者Ｈのズレ量、具体的には表示画面の基準位置に対する左右のズレ、また、表示画面から視聴者Ｈまでの適正距離に対する実際の距離の差分（前後のズレ）を算出し、左右のズレ及び前後のズレを示すズレ情報Ｐｄを生成する位置ズレ判定部１２３ａと、ズレ情報Ｐｄに基づいて、視聴者を左右前後のいずれの方向に移動させるべきかを示すガイド情報Ｇｓを生成するガイド情報生成部１２３ｂと、このガイド情報Ｇｓに基づいて、『もっと前へ』、『もっと後ろへ』、『もっと左へ！！』、『もっと右へ！！』、『ｇｏｏｄ！！』というテロップのデータである表示ガイド信号Ｇｄｉを生成する表示ガイド部１２３ｃと、上記ガイド情報Ｇｓに基づいて、『もっと前へ』、『もっと後ろへ』、『もっと左へ！！』、『もっと右へ！！』、『ｇｏｏｄ！！』という音声をスピーカから出力するための音声データである音声ガイド信号Ｇａｕを生成する音声ガイド部１２３ｄとを有している。
【００４８】
次に動作について説明する。
【００４９】
図３は、本発明の実施形態１による画像表示システムの動作を説明する図であり、図３（ａ）は、視聴者が３Ｄ画像を見る様子を概念的に示し、図３（ｂ）は、表示画面と視聴者の両眼の位置関係を示し、図３（ｃ）〜図３（ｅ）は、視聴者の位置による３Ｄ画像の見え方の違いを示している。
【００５０】
このような構成の画像表示システム１００では、映像ソース１３０から、３Ｄ画像を形成するための右眼用画像及び左眼用画像を表示するための３Ｄ画像データが映像データＶｓとして３Ｄ表示部１１０の表示制御部１１２に供給されると、該表示制御部１１２が、液晶表示パネル１１１を制御して、図１１に示す従来の画像表示装置と同様に、該液晶表示パネル１１１の右眼用画素により右眼用画像が表示され、その左眼用画素により左眼用画像が表示される。これにより、視聴者が表示画面１１１ａに対して適正な位置に位置しているときには、つまり、視聴者Ｈの表示画面１１１ａまでの実際の距離Ｂが、眼球距離Ａに対する適正距離Ｃと一致するときには、視聴者は、図３（ｅ）に示すような正常な３Ｄ画像が見られ、実際の距離Ｂと、眼球距離Ａに対する適正距離Ｃとがずれている場合は、視聴者が見る３Ｄ画像は、図３（ｃ）及び図３（ｄ）に示すようなぼけた画像となる。
【００５１】
この実施形態の画像表示システム１００では、実際の距離Ｂと、眼球距離Ａに対する適正距離Ｃとがずれている場合には、視聴者を適正位置にガイドするガイド動作が行われる。
【００５２】
具体的には、この画像表示システム１００では、カメラ１０２ａにより視聴者の画像が撮像され、また、距離センサ１０２ｂにより視聴者Ｈと表示画面１１１ａとの距離がモニタされている。
【００５３】
そして、ガイド指示部１２０では、距離センサ１０２ｂからのセンサ出力Ｄｄとカメラ１０２ａからの撮像信号Ｄｖに基づいて、視聴者と表示画面との位置ズレの検出が行われる。
【００５４】
つまり、画像処理部１２１では、撮像信号Ｄｖの処理により視聴者の顔認識が行われ、ガイド制御部１２３の位置ズレ判定部１２３ａでは、画像処理部１２１での顔認識を示す画像解析情報Ｐｆにより視聴者と表示画面との左右方向の相対位置ずれが検出され、データ記憶部１２２の距離基準値Ｐｒとセンサ出力Ｄｄとに基づいて、視聴者と表示画面との距離が、適正距離からどの程度ずれているかが判定され、ズレ情報Ｐｄが出力される。
【００５５】
そして、ガイド情報生成部１２３ｂでは、ズレ情報Ｐｄに基づいて、視聴者を左右前後のいずれの方向に移動させるべきかを示すガイド情報Ｇｓが生成され、このガイド情報Ｇｓに基づいて、『もっと前へ』、『もっと後ろへ』、『もっと左へ！！』、『もっと右へ！！』、『ｇｏｏｄ！！』というテロップのデータである表示ガイド信号Ｇｄｉが表示ガイド部１２３ｃで生成され、上記ガイド情報Ｇｓに基づいて、『もっと前へ』、『もっと後ろへ』、『もっと左へ！！』、『もっと右へ！！』、『ｇｏｏｄ！！』という音声をスピーカから出力するための音声データである音声ガイド信号Ｇａｕが音声ガイド部１２３ｄで生成される。
【００５６】
そして表示画面上では、テロップにより『もっと前へ』、『もっと後ろへ』、『もっと左へ！！』、『もっと右へ！！』、『ｇｏｏｄ！！』といった表示ガイドが行われ、また、スピーカ１０３ａ、１０３ｂからは、『もっと前へ』、『もっと後ろへ』、『もっと左へ！！』、『もっと右へ！！』、『ｇｏｏｄ！！』といったガイド音声が出力される。
【００５７】
このように本実施形態では、表示画面１１１ａ上に左眼で見られるよう左眼用画像を表示し、右眼で見られるよう右眼用画像を表示する画像表示システム１００において、視聴者Ｈの位置を検出し、検出した視聴者Ｈの位置に基づいて、該視聴者が見る画像に応じた最適な位置に該視聴者をガイドするので、視聴者は常に３Ｄ画像を適切な位置で視聴することができるという効果がある。
【００５８】
また、この実施形態では、画像表示システムのカメラとして、携帯電話などに予め搭載されているインカメラを用いることで、別途、画像解析用のカメラを設ける必要はない。
【００５９】
さらに、この実施形態では、視聴者が適切な３Ｄ画像を見るために、視聴者の位置に合わせて、表示装置側で表示画像に対する処理を行うのではなく、視聴者の位置を、適切な位置にガイドするので、画像表示システム側に別途、信号処理部などを設ける必要がなく、また、映像ソースからの画像情報として供給される画像の撮像時に、画面上に視聴者の位置を調整するための特殊な加工を施したりすることも必要としない。
（実施形態２）
図４は、本発明の実施形態２による画像表示システムを説明する図であり、この画像表示システムの全体構成を示している。
【００６０】
図５は、本発明の実施形態２による画像表示システムのより具体的な構成を説明する図であり、図５（ａ）は、該画像表示システムを構成するガイド指示部および３Ｄ表示部の構成を示し、図５（ｂ）は、ガイド指示部における画像処理部の構成を示している。
【００６１】
この実施形態２の画像表示システム２００は、実施形態１の画像表示システム１００における距離センサ１０２ｂによるセンサ出力に変えて、カメラから得られる撮像信号に対する画像解析処理により顔検出を行い、さらにこの顔検出結果に基づいて、撮像画像における視聴者の両眼距離を検出し、この両眼距離から、視聴者と表示画面との距離を算出するようにしたものであり、その他の構成は実施形態１の画像表示システム１００と同一である。
【００６２】
つまり、この画像表示システム２００では、実施形態１の画像表示システム１００における距離センサ１０２ｂは設けられておらず、この距離センサ１０２ｂの代わりに、画像処理部２２１は、撮像信号Ｄｖの画像解析により顔検出を行う顔検出部１２１ａに加えて、この顔検出出力Ｄｆに基づいて視聴者の両眼距離情報Ｄｅを検出する両眼距離検出部１２１ｂを有している。また、ガイド制御部２２３の位置ズレ判定部（図２（ｂ）参照）では、両眼距離情報Ｄｅと顔検出出力Ｄｆに基づいて位置ズレ判定を行う。その他の構成は実施形態１と同様である。
【００６３】
このような構成の本実施形態２では、実施形態１の効果に加えて、距離センサが不要となる効果がある。
（実施形態２の変形例）
図６は、本発明の実施形態２による画像表示システムを説明する図であり、この画像表示システムの全体構成を示している。
【００６４】
図７は、本発明の実施形態２による画像表示システムのより具体的な構成を説明する図であり、該画像表示システムを構成するガイド指示部および３Ｄ表示部の構成を示している。
【００６５】
この実施形態２の変形例による画像表示システム２００ａは、実施形態２の画像表示システム２００におけるガイド指示部２２０に代えて、予め登録した視聴者の顔の画像に基づいて視聴者に対するガイドを行うガイド指示部２２０ａを備えたものである。
【００６６】
このガイド指示部２２０ａは、登録モードでは、ユーザの入力操作信号Ｓｍにより、予め左右の眼の適正位置を判別するための調整用左右別画像の表示を行い、左右それぞれの調整用画像を適切な位置で見たときの視聴者の顔の画像を登録しておき、動作モードでは、該登録した視聴者の顔の画像と、実際に視聴者が視聴している状態での視聴者の顔の画像との比較により、視聴者を適切な位置にガイドするよう構成されている。
【００６７】
具体的には、上記ガイド指示部２２０ａは、実施形態２の画像処理部２２１に代えて、入力操作信号Ｓｍに基づいてカメラ１０２ａでの撮影を行い、撮影した画像における視聴者の顔の画像をデータ記憶部１２２ａに予め格納する。
【００６８】
具体的には、画像処理部２２１ａは、この画像表示システム２００ａの登録モードでは、データ記憶部１２２ａに格納されている調整用左画像ＬＴｖ及び調整用右画像ＲＴｖを表示させ、視聴者がこれらの画像を左眼及び右眼で適切に見えると判断したときの操作信号に基づいて、この位置での視聴者の顔の画像データＤｖ１をカメラ１０２ａでの撮像画像から取り込んでデータ記憶部１２２ａに格納する。
【００６９】
そして、画像処理部２２１ａは、画像表示システムの通常動作モードでは、カメラ１０２ａで撮影された撮像画像データＤｖに対する画像処理により視聴者の顔認識を行い、この顔認識により得られた視聴者の顔の画像のデータを、予めデータ記憶部１２２ａに格納した視聴者の顔の画像のデータＤｖ１との比較結果を、画像解析情報Ｐｆとしてガイド制御部１２３に出力するものである。
【００７０】
ガイド制御部１２３では、画像解析情報Ｐｆａに基づいて、視聴者と表示画面との距離及び、視聴者と表示画面との左右方向の相対位置を算出し、上記実施形態２の画像表示システムと同様に音声やテロップによる視聴者のガイドを行う。
【００７１】
このような構成の本実施形態２の変形例２による画像表示システム２００ａでは、事前に調整用左右別画像のテスト表示を行い、このテスト表示が左右両方とも良好に見える最適位置での視聴者の顔の画像を登録することで、表示画面に表示された３Ｄ画像を実際に視聴者が視聴している状態での撮影により得られた視聴者の顔の画像を上記最適位置での視聴者の顔の画像と比較可能となり、これにより視聴者に対する視聴位置のガイドをより精度よく行うことが可能となる効果がある。
（実施形態３）
図８は、本発明の実施形態３による画像表示システムを説明する図であり、この画像表示システムの全体構成を示している。
【００７２】
図９は、本発明の実施形態３による画像表示システムのより具体的な構成を説明する図であり、図９（ａ）は、該画像表示システムを構成するガイド指示部および３Ｄ表示部の構成を示し、図９（ｂ）は、ガイド指示部におけるガイド制御部の構成を示している。
【００７３】
この実施形態３の画像表示システム３００は、実施形態１の画像表示システム１００におけるガイド指示部１２０に代えて、視聴者の入力操作に応じた操作信号Ｓｃにより、上記ガイド動作を行うガイドモードと、上記ガイド動作を行わない非ガイドモードとを切換え可能としたものであり、その他の構成は実施形態１の画像表示システム１００と同一である。
【００７４】
つまり、この実施形態３の画像表示システム３００は、実施形態１の画像表示システム１００におけるガイド指示部１２０に代わるガイド指示部３２０を備えており、このガイド指示部３２０を構成するガイド制御部３２３は、上記の視聴者の入力操作に応じた操作信号Ｓｃにより、上記ガイド動作を行うガイドモードと、上記ガイド動作を行わない非ガイドモードとを切換えるよう構成されている。
【００７５】
具体的には、ガイド制御部３２３は、位置ズレ判定部３２３ａ、ガイド情報生成部３２３ｂ、表示ガイド部３２３ｃ、音声ガイド部３２３ｄを有し、位置ズレ判定部３２３ａ、表示ガイド部３２３ｃ、及び音声ガイド部３２３ｄを、実施形態１の画像表示システム１００におけるガイド制御部１２３のものと同一構成とし、ガイド情報生成部３２３ｂは、上記実施形態１のガイド情報生成部１２３ｂの構成に加えて、上記操作信号Ｓｃに応じて、ガイド情報Ｇｓを表示ガイド部３２３ｃ及び音声ガイド部３２３ｄに出力するか否かを切り替える構成となっている。
【００７６】
このような構成の本実施形態３の画像表示システム３００では、上記実施形態１の効果に加えて、視聴者に対する視聴位置のガイドが不要な場合にはガイド動作を停止させることができる効果がある。
（実施形態４）
図１０は、本発明の実施形態４による画像表示システムを説明する図であり、図１０（ａ）は、全体構成を示し、図１０（ｂ）は、表示画面上でのガイド表示を示している。
【００７７】
図１１は、本発明の実施形態４による画像表示システムのより具体的な構成を説明する図であり、図１１（ａ）は、該画像表示システムを構成するガイド指示部およびマルチビュー表示部の構成を示し、図１１（ｂ）は、ガイド指示部におけるガイド制御部の構成を示している。
【００７８】
この実施形態４の画像表示システム４００は、上記実施形態１〜３の画像表示システム１００、２００、３００とは異なり、１つの表示画面に異なる２つの画像を、その一方（第１の画像）を第１の視聴者Ｈ１（図１２（ａ）参照）が観察でき、その他方（第２の画像）を第２の視聴者Ｈ２（図１２（ａ）参照）が観察できるよう表示し、その際、それぞれの視聴者Ｈ１及びＨ２の視聴位置が、対応する画像を観察するのに最適な位置になるよう、これらの視聴者を最適位置にガイドするものである。
【００７９】
つまり、前記第１及び第２の画像は、第１及び第２の視聴者Ｈ１及びＨ２により観察されるよう空間的に多重化されている。
【００８０】
また、この画像表示システムでは、視聴者のガイドは、実施形態１と同様、音声によるものと、表示画面上でのテロップ１４１、１５１表示によるものと、矢印などの移動すべき方向を示す記号１４２ａ、１４２ｂ、１４３ａ、１４３ｂ、１５２ａ、１５２ｂ、１５３ａ、１５３ｂの表示によるものが同時に行われるようになっている。但し、視聴者Ｈ１及びＨ２に対する視聴位置のガイドは、これらの音声、テロップ、記号うちの少なくとも１つにより行われればよい。
【００８１】
以下具体的な構成について説明する。
【００８２】
この画像表示システム４００は、視聴者を被写体として撮影して撮像信号Ｄｖを出力するカメラ１０２ａと、表示画面１１１ａから視聴者Ｈ１及びＨ２までの距離を検出して距離情報Ｄｄ１、Ｄｄ２を出力する第１及び第２の距離センサ１０２ｂ１及び１０２ｂ２と、マルチビュー画像を表示するマルチビュー表示部４１０と、マルチビュー表示部４１０に前記視聴者へのガイドを指示するガイド指示部４２０と、映像データのソース１３０と、スピーカ１０３ａ、１０３ｂとを有している。
【００８３】
なお、ここでは、スピーカ１０３ａ、１０３ｂには、ガイド指示部４２０から直接、視聴者に位置をガイドするための音声信号を供給する構成としている。
【００８４】
また、映像データのソースである映像ソース１３０は、実施形態１と同様、映像データを格納した記録メディアあるいは放送信号やインターネットなどの回線から映像データを受信する受信部などであり、種々の映像データＶｓを前記マルチビュー表示部４１０に供給する。
【００８５】
また、マルチビュー表示部４１０は、ガイド指示部４２０からの表示ガイド信号Ｇｄｉにより表示画面４１１ａに第１及び第２の視聴者Ｈ１及びＨ２へのガイドを示すテロップ１４１及び１５１を表示するよう構成されている。つまり、マルチビュー表示部４１０は、表示画面４１１ａを含む液晶表示パネル４１１と、該液晶表示パネル４１１を表示ガイド信号Ｇｄｉにより表示制御する表示制御部４１２とを有している。
【００８６】
なお、ここで、液晶表示パネル４１１は、複数の画素をマトリクス状に配列したものであり、第１および第２の画像として第１の視聴者用画像及び第２の視聴者用画像を表示可能な構成となっており、また、液晶表示パネル４１１の前面側には、第１の画像（第１の視聴者用画像）を形成する画素からの光を第１の方向に方向付け、第２の画像（第２の視聴者用画像）を形成する画素からの光を第２の方向に方向付けるように構成された、視差バリアなどの視差光学素子（図示せず）が配置されている。
【００８７】
また、ガイド指示部４２０は、カメラ１０２ａからの撮像信号Ｄｖに基づいて画像解析を行い、該視聴者の顔を認識して、表示画面の基準位置（例えば、中心位置）と第１及び第２の視聴者の両目の中心位置との相対距離を示す相対距離情報Ｐｆ１及びＰｆ２を生成する画像処理部４２１と、それぞれの視聴者と表示画面との基準距離を示す距離基準値Ｐｒ１、Ｐｒ２を格納したデータ記憶部４２２と、距離基準値Ｐｒ１及びＰｒ２と、各視聴者と表示画面との左右方向のズレを示す相対位置情報Ｐｆ１及びＰｆ２と、２つの距離センサの出力Ｄｄ１及びＤｄ２とに基づいて上記音声ガイド信号Ｇａｕ、表示ガイド信号Ｇｄｉをそれぞれスピーカ１０３ａ及び表示制御部４１２に供給するガイド制御部４２３とを有している。
【００８８】
さらに、このガイド制御部４２３は、相対距離情報Ｐｆ１及びＰｆ２、距離基準値Ｐｒ１及びＰｒ２、距離情報（センサ出力）Ｄｄ１及びＤｄ２とに基づいて、適正な位置からの視聴者Ｈ１及びＨ２の位置ズレ量、具体的には表示画面の基準位置に対する左右のズレ、また、表示画面から視聴者Ｈ１及びＨ２までの適正距離に対する実際の距離の差分（前後のズレ）を算出し、左右のズレ及び前後のズレを示すズレ情報Ｐｄを生成する位置ズレ判定部４２３ａと、ズレ情報Ｐｄに基づいて、第１及び第２の視聴者Ｈ１及びＨ２を左右前後のいずれの方向に移動させるべきかを示すガイド情報Ｇｓを生成するガイド情報生成部４２３ｂと、このガイド情報Ｇｓに基づいて、それぞれの視聴者Ｈ１、Ｈ２に対して、『もっと前へ』、『もっと後ろへ』、『もっと左へ！！』、『もっと右へ！！』、『ｇｏｏｄ！！』というテロップを表示するための表示データである表示ガイド信号Ｇｄｉを生成する表示ガイド部４２３ｃと、上記ガイド情報Ｇｓに基づいて、それぞれの視聴者Ｈ１、Ｈ２に対して、『もっと前へ』、『もっと後ろへ』、『もっと左へ！！』、『もっと右へ！！』、『ｇｏｏｄ！！』という音声をスピーカから出力するための音声データである音声ガイド信号Ｇａｕを生成する音声ガイド部４２３ｄとを有している。
【００８９】
次に動作について説明する。
【００９０】
図１２は、本発明の実施形態４による画像表示システムの動作を説明する図であり、図１２（ａ）は、視聴者がマルチビュー画像を見る様子を概念的に示し、図１２（ｂ）は、表示画面と二人の視聴者の位置関係を示し、図１２（ｃ）〜図１２（ｅ）は、視聴者の位置による３Ｄ画像の見え方の違いを示している。
【００９１】
このような構成の画像表示システム４００では、映像ソース１３０から、マルチビュー画像を形成するための第１の画像及び第２の画像を表示するためのマルチビュー画像データが映像データＶｓとしてマルチビュー表示部４１０の表示制御部４１２に供給されると、該表示制御部４１２が、液晶表示パネル４１１を制御して、該液晶表示パネル４１１の第１視聴者用画素により第１視聴者用画像が表示され、その第２視聴者用画素により第２視聴者用画像が表示される。これにより、第１及び第２の視聴者Ｈ１及びＨ２が表示画面４１１ａに対して適正な位置に位置しているときには、つまり、第１、第２の視聴者Ｈ１、Ｈ２の表示画面４１１ａまでの実際の距離が、それぞれに対応する画像を見るのに適した適正距離と一致するときには、第１の視聴者Ｈ１（図１０（ａ）の左側視聴者）は、図１０（ｃ）に示すような正常な風景画像が見られ、第２の視聴者Ｈ２（図１０（ａ）の右側視聴者）は、図１０（ｅ）に示すような正常な文字配列画像が見られる。一方、実際の距離と、第１及び第２の視聴者が対応する画像を見るのに適切な適正距離とがずれている場合は、第１及び第２の視聴者が見る画像は、図３（ｂ）及び図３（ｄ）に示すような、２つの画像が重なり、ぼけた画像となる。
【００９２】
この実施形態の画像表示システム４００では、第１及び第２の視聴者の実際の位置と適正位置とがずれている場合には、それぞれ視聴者を適正位置にガイドするガイド動作が行われる。
【００９３】
具体的には、この画像表示システム４００では、カメラ１０２ａにより視聴者の画像が撮像され、また、距離センサ１０２ｂ１及び１０２ｂ２により視聴者Ｈ１、Ｈ２と表示画面１１１ａとの距離がモニタされている。
【００９４】
そして、ガイド指示部４２０では、距離センサ１０２ｂ１及び１０２ｂ２からのセンサ出力Ｄｄ１及びＤｄ２とカメラ１０２ａからの撮像信号Ｄｖに基づいて、視聴者と表示画面との位置ズレの検出が行われる。
【００９５】
つまり、画像処理部４２１では、撮像信号Ｄｖの処理により第１及び第２の視聴者Ｈ１及びＨ２の顔認識が行われる。ガイド制御部４２３の位置ズレ判定部４２３ａでは、画像処理部４２１での顔認識による視聴者Ｈ１及びＨ２の位置に関する情報Ｐｆ１及びＰｆ２により、各視聴者Ｈ１及びＨ２と表示画面４１１ａとの左右方向の相対位置ずれが検出され、また、データ記憶部１２２に格納されている、各視聴者Ｈ１及びＨ２に対応する距離基準値Ｐｒ１及びＰｒ２と、各位置センサ１０２ｂ１及び１０２ｂ２のセンサ出力Ｄｄ１及びＤｄ２とに基づいて、各視聴者Ｈ１及びＨ２と表示画面４１１ａとの距離が、適正距離からどの程度ずれているかが判定され、それぞれの視聴者のズレ量を含むズレ情報Ｐｄが出力される。
【００９６】
そして、ガイド情報生成部４２３ｂでは、ズレ情報Ｐｄに基づいて、各視聴者Ｈ１及びＨ２を左右前後のいずれの方向に移動させるべきかを示すガイド情報Ｇｓが生成され、このガイド情報Ｇｓに基づいて、それぞれの視聴者Ｈ１、Ｈ２に対して、『もっと前へ』、『もっと後ろへ』、『もっと左へ！！』、『もっと右へ！！』、『ｇｏｏｄ！！』というテロップを表示するための表示データである表示ガイド信号Ｇｄｉが表示ガイド部１２３ｃで生成され、それぞれの視聴者Ｈ１、Ｈ２に対して、上記ガイド情報Ｇｓに基づいて、『もっと前へ』、『もっと後ろへ』、『もっと左へ！！』、『もっと右へ！！』、『ｇｏｏｄ！！』という音声をスピーカから出力するための音声データである音声ガイド信号Ｇａｕが音声ガイド部４２３ｄで生成される。
【００９７】
そして表示画面上では、第１の視聴者Ｈ１のためのテロップ１４１と、第２の視聴者Ｈ２のためのテロップ１５１により『もっと前へ』、『もっと後ろへ』、『もっと左へ！！』、『もっと右へ！！』、『ｇｏｏｄ！！』といった表示ガイドが行われ、また、スピーカ１０３ａ、１０３ｂからは、それぞれの視聴者Ｈ１及びＨ２に対する『もっと前へ』、『もっと後ろへ』、『もっと左へ！！』、『もっと右へ！！』、『ｇｏｏｄ！！』といったガイド音声が出力される。このとき、表示画面４１１ａでは、矢印などの記号１４２ａ、１４２ｂ、１４３ａ、１４３ｂの少なくとも１つをハイライトすることにより、第１の視聴者Ｈ１に対する位置ガイドを行い、矢印などの記号１５２ａ、１５２ｂ、１５３ａ、１５３ｂの少なくとも１つをハイライトすることにより、第２の視聴者Ｈ２に対する位置ガイドを行ってもよい。
【００９８】
このように本実施形態では、表示画面４１１ａ上に第１の視聴者Ｈ１が見られるよう第１の視聴者用画像を表示し、第２の視聴者Ｈ２が見られるよう第２の視聴者用画像を表示する画像表示システムにおいて、各視聴者Ｈ１及びＨ２の位置を検出し、検出した視聴者Ｈ１及びＨ２の位置に基づいて、それぞれの視聴者Ｈ１及びＨ２を、それぞれの画像に応じた最適な位置にガイドするので、第１及び第２の視聴者Ｈ１及びＨ２は、異なる方向からそれぞれが見たい画像を常に適切な位置で視聴することができるという効果がある。
【００９９】
なお、前記実施形態１〜４においては、前記カメラは、携帯機器に搭載されたインカメラとし、前記ガイド指示部の画像処理部は、前記顔認識から、目鼻輪郭の位置によって顔の傾きを検出し正対するよう注意表示するようにしてもよい。
【０１００】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１０１】
本発明は、画像表示システムおよび電子情報機器の分野において、最適な３Ｄ画像あるいは最適なマルチビュー画像を得るための、視聴者と３Ｄ表示装置およびマルチビュー表示装置との距離あるいは相対位置を検知して、視聴者に最適な視聴位置を通知することで、３Ｄ画像あるいはマルチビュー画像を適切な位置で視聴することができる携帯機器などの電子情報機器を提供できるものである。
【符号の説明】
【０１０２】
１００、２００、３００、４００  画像表示システム
１０１  装置筐体
１０２ａ  インカメラ
１０２ｂ  距離センサ
１０３ａ、１０３ｂ  スピーカ
１１０  画像表示部
１１１  液晶表示パネル
１１１ａ  表示画面
１１２  表示制御部
１１２ａ  左誘導記号
１１２ｂ  右誘導記号
１１３ａ  後退誘導記号
１１３ｂ  前進誘導記号
１１４  誘導案内表示領域
１２０、２２０、３２０、４２０  指示部
１２１、２２１  画像処理部
１２２  データ記憶部
１２３、２２３  ガイド制御部
１２３ａ  位置ズレ判定部
１２３ｂ  ガイド情報生成部
１２３ｃ  表示ガイド部
１２３ｄ  音声ガイド部
１３０  受信部
【図１】
2012199701.tif 000003
【図２】
2012199701.tif 000004
【図３】
2012199701.tif 000005
【図４】
2012199701.tif 000006
【図５】
2012199701.tif 000007
【図６】
2012199701.tif 000008
【図７】
2012199701.tif 000009
【図８】
2012199701.tif 000010
【図９】
2012199701.tif 000011
【図１０】
2012199701.tif 000012
【図１１】
2012199701.tif 000013
【図１２】
2012199701.tif 000014
【図１３】
2012199701.tif 000015